(57)【要約】【課題】集塵容器内のフィルターに付着および入り込んだ塵埃の除塵だけでなく、内壁および底部に付着した塵埃も除塵するお手入れの軽減可能な電気掃除機を提供する。【解決手段】電動送風機２と、掃除機本体１に着脱自在に取り付けられ塵埃を捕集する集塵容器３と、集塵容器３内に配され塵埃を捕捉するフィルター（図示せず）に振動等の衝撃を加えて捕捉した塵埃を取り除く除塵手段４５と、フィルターの塵埃を捕捉する側と反対側に風を送る送風ファン２１と、除塵手段４５と送風ファン２１を動作させる電源を供給する直流電源装置４７と、除塵手段４５と送風ファン２１の動作を制御する制御手段４２とを備え、送風ファン２１でフィルターに送風しながら、除塵手段４５を動作させるもので、フィルターに入り込んだ塵埃も取り除けるため、フィルターの除塵性能が向上し、吸込み力低下が軽減され、強い吸込み力が維持される。【選択図】図４
2012249822.tif 000002
【特許請求の範囲】
【請求項１】
吸引風を発生する電動送風機と、掃除機本体に着脱自在に取り付けられ塵埃を捕集する集塵容器と、前記集塵容器内に配され塵埃を捕捉するフィルターと、前記フィルターに振動等の衝撃を加えて捕捉した塵埃を取り除く除塵手段と、前記フィルターの塵埃を捕捉する側と反対側に風を送る送風ファンと、前記掃除機本体内に配され、前記除塵手段と前記送風ファンを動作させる電源を供給する給電装置と、前記除塵手段と前記送風ファンの動作を制御する制御手段とを備え、前記送風ファンで前記フィルターに送風しながら、前記除塵手段を動作させることを特徴とする電気掃除機。
【請求項２】
集塵容器内に、電気エネルギーを蓄えると共に給電装置で充電される蓄電手段と、前記集塵容器単体のときに除塵手段と送風ファンの動作を制御する集塵容器制御手段を配置し、前記集塵容器と掃除機本体との接続時に、制御手段は、前記除塵手段と前記送風ファンと前記蓄電手段の充電の動作を制御すると共に、前記集塵容器単体でフィルターに送風をしながら、前記除塵手段を動作させることを特徴とする請求項１に記載の電気掃除機。
【請求項３】
集塵容器に、吸引風や太陽光によって発電する発電手段を設け、前記発電手段で蓄電手段に充電することを特徴とする請求項２に記載の電気掃除機。
【請求項４】
除塵手段と送風ファンの駆動電圧を、集塵容器が掃除機本体に装着されている時と、前記集塵容器単体の時とで異ならせたことを特徴とする請求項２又は３に記載の電気掃除機。
【請求項５】
送風ファンが動作していることを使用者に報知する報知手段を備えることを特徴とする請求項１〜４のいずれか１項に記載の電気掃除機。
【発明の詳細な説明】
【技術分野】
【０００１】
本発明は、電気掃除機に関するもので、特に、電動送風機の吸込み側に配置された濾過式のフィルターに付着した塵埃を除塵する除塵手段を有する電気掃除機に関するものである。
【背景技術】
【０００２】
従来、この種の電気掃除機として、減速機構を備えたモーターで駆動されるアーム（除塵手段）の移動によって、略平面状の塵埃捕集手段（プリーツ状の集塵フィルタ）のプリーツ部分を順次たたくようにすることで振動を与えて、フィルター面に付着した細塵を振るい落とすことで吸い込み性能の低下を抑えるようにしたものがある（例えば、特許文献１参照）。
【先行技術文献】
【特許文献】
【０００３】
【特許文献１】特許第４１０７１７１号公報
【発明の概要】
【発明が解決しようとする課題】
【０００４】
しかしながら、前記従来の電気掃除機の構成では、振動のみの除塵であり、フィルターに付着した塵埃は取り除けるが、吸引によってフィルター内に入り込んだ塵埃を取り除くことは困難であった。また、フィルター面から除塵された塵埃は、集塵室の内壁や底面に付着することになり、それら付着した塵埃のゴミ捨て時の塵離れ性については考慮されていなかった。
【０００５】
本発明は、前記従来の課題を解決するもので、フィルターの除塵性能が向上し、吸込み力が持続すると共に、集塵室の内壁や底面に付着した塵埃も取り除くことが可能な使用性の良い電気掃除機を提供することを目的とする。
【課題を解決するための手段】
【０００６】
前記従来の課題を解決するために、本発明の電気掃除機は、吸引風を発生する電動送風機と、掃除機本体に着脱自在に取り付けられ塵埃を捕集する集塵容器と、前記集塵容器内に配され塵埃を捕捉するフィルターと、前記フィルターに振動等の衝撃を加えて捕捉した塵埃を取り除く除塵手段と、前記フィルターの塵埃を捕捉する側と反対側に風を送る送風ファンと、前記掃除機本体内に配され、前記除塵手段と前記送風ファンを動作させる電源を供給する給電装置と、前記除塵手段と前記送風ファンの動作を制御する制御手段とを備え、前記送風ファンで前記フィルターに送風しながら、前記除塵手段を動作させるもので、フィルターに入り込んだ塵埃を取り除くことができるため、フィルターの除塵性能が向上し、フィルターの目詰まりによる吸込み力低下が軽減され、強い吸込み力が維持され、集塵性能が向上する。さらに送風によって集塵室の内壁や底面に付着した塵埃も除去され、お手入れの軽減可能な電気掃除機を提供できる。
【発明の効果】
【０００７】
本発明の電気掃除機は、フィルターの除塵性能を向上させることで、フィルターの目詰まりによる吸込み力低下を軽減し、強い吸込み力を維持すると共に優れた集塵性能を有する。
【図面の簡単な説明】
【０００８】
【図１】本発明の実施の形態１における電気掃除機の斜視外観図
【図２】（ａ）同電気掃除機の掃除機本体の斜め前から見た分解斜視図、（ｂ）同掃除機本体の斜め後ろから見た分解斜視図
【図３】同電気掃除機の集塵容器の分解斜視図
【図４】同電気掃除機の制御ブロック図
【図５】本発明の実施の形態２における電気掃除機の制御ブロック図
【図６】同電気掃除機のゴミ捨て時の集塵容器の概略図
【図７】本発明の実施の形態３における電気掃除機の制御ブロック図
【発明を実施するための形態】
【０００９】
第１の発明は、吸引風を発生する電動送風機と、掃除機本体に着脱自在に取り付けられ塵埃を捕集する集塵容器と、前記集塵容器内に配され塵埃を捕捉するフィルターと、前記フィルターに振動等の衝撃を加えて捕捉した塵埃を取り除く除塵手段と、前記フィルターの塵埃を捕捉する側と反対側に風を送る送風ファンと、前記掃除機本体内に配され、前記除塵手段と前記送風ファンを動作させる電源を供給する給電装置と、前記除塵手段と前記送風ファンの動作を制御する制御手段とを備え、前記送風ファンで前記フィルターに送風しながら、前記除塵手段を動作させるもので、フィルターに入り込んだ塵埃を取り除くことができるため、フィルターの除塵性能が向上し、フィルターの目詰まりによる吸込み力低下が軽減され、強い吸込み力が維持され、集塵性能が向上する。さらに送風によって集塵室の内壁や底面に付着した塵埃も除去され、お手入れの軽減可能な電気掃除機を提供できる。
【００１０】
第２の発明は、特に、第１の発明の集塵容器内に、電気エネルギーを蓄えると共に給電装置で充電される蓄電手段と、前記集塵容器単体のときに除塵手段と送風ファンの動作を制御する集塵容器制御手段を配置し、前記集塵容器と掃除機本体との接続時に、制御手段は、前記除塵手段と前記送風ファンと前記蓄電手段の充電の動作を制御すると共に、前記集塵容器単体でフィルターに送風をしながら、前記除塵手段を動作させるもので、さらにフィルターの除塵性能が向上し、強い吸込み力が維持され、集塵性能が向上する。また送風によって集塵容器内壁や底面に付着した塵埃も取り除くことができる。
【００１１】
第３の発明は、特に、第２の発明の集塵容器に、吸引風や太陽光によって発電する発電手段を設け、前記発電手段で蓄電手段に充電するもので、掃除機本体からの給電を行わなくてもすむため、省エネを図ることができる。
【００１２】
第４の発明は、特に、第２又は第３の発明の除塵手段と送風ファンの駆動電圧を、集塵容器が掃除機本体に装着されている時と、前記集塵容器単体の時とで異ならせたもので、集塵容器が掃除機本体に装着されている状態で、電源投入時や運転停止時に自動的にフィルター除塵を行う除塵動作と、前記集塵容器が掃除機本体から取り外されている時に行う除塵動作のそれぞれにおいて、前記除塵モーターと送風ファンの最適な駆動電圧が設定できるため、除塵性能を考慮しつつ除塵音も低減することができる。
【００１３】
第５の発明は、特に、第１〜４のいずれか一つの発明の送風ファンが動作していることを使用者に報知する報知手段を備えたもので、使用者に除塵を行っていることを報知することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気掃除機の斜視外観図、図２（ａ）は、同電
気掃除機の掃除機本体の斜め前から見た分解斜視図、図２（ｂ）は、同掃除機本体の斜め後ろから見た分解斜視図、図３は、同電気掃除機の集塵容器の分解斜視図、図４は、同電気掃除機の制御ブロック図である。
【００１６】
図１において、本実施の形態における電気掃除機は、延長管２８に取り付けた塵埃を吸引する吸込具２３を有し、延長管２８は、各種の動作モード（例えば、「強」・「中」・「弱」の吸込み力、「停止」等）が選択できる手元操作部２５と、ホース接続部２６付きのホース２７とを介して掃除機本体１に連結されている。
【００１７】
掃除機本体１は、後部に吸引風を発生する電動送風機２を内蔵しており、前部に塵埃を分離捕集する集塵容器３が着脱自在に取り付けられている。また、後部にコンセント（後述の商用電源３５）に接続して、掃除機本体１に内蔵されている回路基板（図示せず）に電源を供給するための電源コード３４が設けられている。
【００１８】
図２において、隔壁１５は、電動送風機２の設置部と集塵容器３とを仕切るもので、電動送風機２の吸引部と連通する格子状の隔壁開口部１６が設けられている。
【００１９】
集塵容器３には、着脱自在に装着される濾過手段としてのフィルターユニット５と、塵埃を蓄積しておく集塵室４と、集塵容器３を持ち運ぶためのハンドル２２を備え、着脱自在に装着されると共に、除塵モーター１４と送風ファン２１を固定する除塵ユニット２４が設けられ、集塵容器３を掃除機本体１に装着した際に、掃除機本体１の本体吸気口１７と連通して、吸引風を集塵室４へと導く集塵容器吸気口６を備えている。
【００２０】
集塵容器３の底部には、蓋体７が開閉自在に取り付けられており、蓋体７が開くことで集塵室４内に蓄積された塵埃を外部に排出することができる。
【００２１】
また、掃除機本体１の隔壁１５には、集塵容器３の除塵ユニット２４に設けられた除塵モーター１４及び送風ファン２１に通電するための給電端子１９が設けられており、この給電端子１９と対となる受電端子２０が、集塵容器３の除塵ユニット２４に設けられている。これらの端子は、集塵容器３を掃除機本体１に装着した際に電気的に接続される構成となっている。
【００２２】
次に集塵容器３の内部構成について、図３を用いて説明する。
【００２３】
図３において、フィルターユニット５は、枠体８と、プリーツ折りされ、そのプリーツ目を縦方向にして枠体８に設けられたフィルター９と、横方向に摺動自在に設けられた弾き体１０と、フィルターユニット５に回転自在に設けられた除塵ギヤ１１と、除塵ギヤ１１の外周部と弾き体１０の一部とを連結する除塵連結棒１２とから構成されている。
【００２４】
さらに、弾き体１０のフィルター９と対向する面には、プリーツ折りされたフィルター９の各山折り部９ａに当接する突起（図示せず）が設けられている。
【００２５】
本実施の形態では、送風ファン２１は、フィルター９の塵埃捕捉側と反対側の面に、すなわち、集塵室４側と反対側の面に風を送るものである。
【００２６】
固定棒１３は、枠体８に固定されており、この固定棒１３に、除塵ギヤ１１の回転軸（図示せず）が固定されると共に、弾き体１０の動作方向が、左右の横方向に動作するよう規制する構成となっている。
【００２７】
除塵連結棒１２の除塵ギヤ１１側は、除塵ギヤ１１と噛み合うような歯形形状となって
おり、除塵ギヤ１１が正転、または逆転することにより、除塵連結棒１２がスライドし、弾き体１０を左右方向に移動させる構成となっている。
【００２８】
また、除塵ギヤ１１と噛み合う形状のギヤ１４ａを備えた除塵モーター１４が、除塵ギヤ１１と接続されており、この除塵モーター１４が回転することで、除塵ギヤ１１に動力を伝達する。除塵ユニット２４は、除塵モーター１４と、送風ファン２１と、受電端子２０とを固定しており、それぞれ内部で電気接続されている。
【００２９】
フィルターユニット５を、集塵容器３内に収納し、除塵ユニット２４を集塵容器３の上方に取り付けることで、弾き体１０と除塵ギヤ１１と除塵連結棒１２と固定棒１３と、除塵モーター１４が連結され、フィルターユニット５の上部に送風ファン２１が固定される。
【００３０】
上記構成により、除塵モーター１４と送風ファン２１を回転させると、フィルター９から細塵が離れやすい状態となり、その状態で、除塵ギヤ１１が回転し、除塵連結棒１２を介して連結された弾き体１０が左右に往復移動すると共に、その間に、弾き体１０に設けた突起が、フィルター９の山折り部９ａを弾き、フィルター９を中心に集塵容器３全体に振動が伝播する。この送風と振動や衝撃で、フィルター９の裏面（集塵室４側の面）に付着した細塵がふるい落とされ、集塵室４に溜まると共に、フィルター９の濾過性能が復活するようになっている。
【００３１】
次に、図４を用いて、本実施の形態における電気掃除機の制御方法について説明する。図４は、同電気掃除機の制御ブロック図である。
【００３２】
掃除機本体１内に設けられた通電検知手段４１は、掃除機本体１が、商用電源３５に接続され、通電されたかどうかを検知するものであり、検知信号を制御手段４２に出力している。
【００３３】
制御手段４２は、マイクロコンピュータなどにより構成されており、使用者によって手元操作部２５より入力された操作情報に基づき、駆動手段４４へ位相制御するための点弧パルスを出力する制御を行ったり、操作情報や通電検知手段４１の検知情報に基づき、除塵モーター１４と送風ファン２１を駆動させる制御を行ったりしている。
【００３４】
駆動手段４４は、電動送風機２を駆動するための双方向性サイリスタなどで構成された駆動手段であり、電動送風機２を位相制御し吸込み力を変化させる。
【００３５】
除塵手段４５は、除塵ギヤ１１を回転駆動する除塵モーター１４などから構成され、前記制御手段４２からの信号を受けて駆動している。
【００３６】
直流電源装置４７は、商用電源３５からの交流電源をスイッチング電源等で直流に変換し、除塵モーター１４と送風ファン２１に電源を供給する給電装置となるものである。除塵モーター１４と送風ファン２１の電源である。本実施の形態では、直流電源が１つの場合について説明を行うが、除塵モーター１４用の電源と、送風ファン２１用の電源をそれぞれに分けて、動作させてもよいことはいうまでもない。
【００３７】
直流電源装置４７で作られた直流電源は、除塵駆動手段４８を介して、集塵容器３が掃除機本体１に装着されているときに、掃除機本体１側の給電端子１９と集塵容器３側の受電端子２０が接続することによって除塵モーター１４と、送風ファン２１に電源供給される。
【００３８】
また、集塵容器３には、除塵手段４５や送風ファン２１の動作状態などを使用者に報知するための報知手段４９が設けられている。
【００３９】
以上のように構成された本実施の形態における電気掃除機について、以下、図４を用いて、その動作、作用を説明する。
【００４０】
まず、使用者が掃除を行うために掃除機本体１より電源コード３４を引き出して、電源コード３４の先に付いているプラグ３４ａをコンセントに接続し、掃除機本体１が商用電源３５に接続されると、通電検知手段４１によって、制御手段４２に検知信号が伝達される。また商用電源３５から直流電源装置４７によって直流電源が作られる。
【００４１】
その信号を受けて、制御手段４２は、除塵駆動手段４８に予め設定している一定時間動作信号を送り、直流電源の制御電圧により、一定時間、除塵モーター１４と送風ファン２１が駆動し、集塵容器３内のフィルター９の除塵を行う。
【００４２】
次に使用者が、手元操作部２５を操作し、例えば、「中」モードを選択すると、制御手段４２は、手元操作部２５からの情報を基に、駆動手段４４に予め定められた信号を送り、電動送風機２を駆動させる。
【００４３】
電動送風機２による吸引力は、フィルター９、集塵室４、ホース２７、延長管２８を経て吸込具２３に至る。そして、吸込具２３から吸引された塵埃を含んだ空気が、本体吸気口１７を通って集塵容器３の集塵容器吸気口６から集塵室４に入り、フィルター９の集塵室４側の面に当たりそこで塵埃が捕集され、堆積していく。
【００４４】
フィルター９を通過した空気は、隔壁開口部１６を経由して電動送風機２に吸引される。なお、使用者が、手元操作部２５の「停止」を選択し、電動送風機２の駆動を停止させた際にも、直流電源の制御電圧により一定時間除塵動作を行い、フィルター９の塵埃を取り除くことができる。
【００４５】
掃除が終了したときには、使用者は、まず掃除機本体１から集塵容器３を取り外し、集塵容器３をゴミ箱（図示せず）の上等に移動させる。次に蓋体７を開くと、集塵室４内に蓄積されていた塵埃は、ゴミ箱の中に排出される。
【００４６】
以上のように、本実施の形態においては、電源コード３４のプラグ３４ａをコンセントに接続したときと、手元操作部２５の「停止」を選択したときに、フィルター９に送風をしながら、振動等の衝撃を加えることにより、フィルター９の表面に付着した塵埃は勿論のこと、フィルター９に入り込んでしまった塵埃の除塵も行える。そのためフィルター９の除塵性能が向上し、強い吸込み力が維持され、集塵性能が向上する。また送風によって集塵室４の内壁や底面に付着した塵埃も取り除くことができる。
【００４７】
（実施の形態２）
図５は、本発明の実施の形態２における電気掃除機の制御ブロック図、図６は、同電気掃除機のゴミ捨て時の集塵容器の概略図である。なお、上記実施の形態１における電気掃除機と同一構成部品については、同一符号を付し、その説明を省略する。
【００４８】
図５に示すように、本実施の形態における電気掃除機においては、集塵容器３の上方の除塵ユニット２４内に、電気エネルギーを蓄える蓄電手段５０と、蓄電手段５０で動作させるように切り替えるスイッチ等の切替手段１８が固定されている。
【００４９】
また、集塵容器３内には、集塵容器３単体のときに除塵手段４５と送風ファン２１の動
作を制御する集塵容器制御手段５３が配置されている。
【００５０】
充電駆動手段５１は、直流電源を電源として、給電端子１９及び受電端子２０を介して集塵容器３内の蓄電手段５０を充電制御するためのものであり、制御手段４２からの動作信号により充電のＯＮ／ＯＦＦ制御を行う。
【００５１】
蓄電手段５０は、電気二重層コンデンサや２次電池等で構成されており、集塵容器３だけのときに、除塵モーター１４と、送風ファン２１と、報知手段４９を動作させる電源となるものである。
【００５２】
定電圧手段５２は、蓄電手段５０の電圧を一定電圧に制御する手段で、除塵モーター１４および送風ファン２１を安定した電圧で動作させるためのものである。
【００５３】
切替手段１８は、スイッチ等であり、ＯＦＦ時には、直流電源装置４７での直流電源で除塵モーター１４等が動作され、ＯＮ時には、蓄電手段５０の電源で除塵モーター１４等を動作させるように切り替えられるものである。
【００５４】
以上のように構成された本実施の形態における電気掃除機について、以下、図５を用いて、その動作、作用を説明する。
【００５５】
まず、使用者が掃除を行うために、掃除機本体１の電源コード３４を商用電源３５に接続すると、通電検知手段４１によって制御手段４２に検知信号が伝達される。また商用電源３５から直流電源装置４７によって直流電源が作られる。切替手段１８は、通常はＯＦＦの状態であり、除塵駆動手段４８の制御によって、除塵動作を行うように接続されている。
【００５６】
その信号を受けて、制御手段４２は、除塵駆動手段４８に予め設定している一定時間動作信号を送り、直流電源の制御電圧により一定時間、除塵モーター１４と送風ファン２１が駆動し、集塵容器３内のフィルター９の除塵を行う。
【００５７】
一定時間経過し、除塵動作が終了すると、制御手段４２は、充電駆動手段５１に信号を送り、蓄電手段５０の充電を開始する。充電が完了しないで、使用者が手元操作部２５を操作し、掃除を行っている場合にも、充電は継続して行われるが、手元操作部２５で「停止」を操作したときは、充電を一旦停止し、一定時間除塵を行う。
【００５８】
これは、除塵動作と充電動作を両方行うと、直流電源装置４７の出力容量が多く必要となるため、大型化しないような配慮であり、両方動作してもよいことは言うまでもない。
【００５９】
次に、集塵室４内に蓄積された塵埃を廃棄する場合を説明する。
【００６０】
使用者は、まず掃除機本体１から集塵容器３を取り外し、集塵容器３をゴミ箱の上等に移動させる。次に蓋体７を開くと、集塵室４内に蓄積されていた塵埃はある程度ゴミ箱の中に排出されるが、集塵室４の内壁や蓋体７に塵埃が一部付着したまま残る。
【００６１】
この時、使用者が、切替手段１８をＯＮすると、蓄電手段５０からの電源で定電圧手段５２にて一定電圧に変換した電圧で除塵モーター１４と送風ファン２１が回転し、弾き体１０の動作によってフィルター９を中心に集塵容器３全体が振動し、図６のようにフィルター９だけでなく、集塵室４の内壁や、蓋体７に振動が伝播、さらに送風され、付着した塵埃が除去される。
【００６２】
また、蓄電手段５０の電源を、定電圧手段５２で一定電圧にした電圧（以下蓄電電圧）と、除塵駆動手段４８を介して供給される電圧（本体供給電圧）値を変えることで、状況に応じて除塵モーター１４と送風ファン２１の最適な駆動電圧を設定することができる。例えば、本体供給電圧値を蓄電電圧値より低くすることにより、集塵容器３が、掃除機本体１に装着されている時の除塵モーター１４の駆動パワーが抑えられ、除塵音を低減することができる。特に、電源投入時や電気掃除機の運転停止後に自動的に行われ、頻度が高く、使用者の意図していない時にも除塵をする為、除塵音の低減は効果的である。
【００６３】
以上のように、本実施の形態においては、集塵容器３単体でもフィルター９に送風をしながら、振動等の衝撃を加えて、塵埃を取り除くことにより、さらにフィルター９の除塵性能が向上し、強い吸込み力が維持され、集塵性能が向上する。また送風によって集塵容器３の内壁や底面に付着した塵埃も取り除くことができる。
【００６４】
（実施の形態３）
図７は、本発明の実施の形態３における電気掃除機の制御ブロック図である。なお、上記実施の形態における電気掃除機と同一構成部品については、同一符号を付し、その説明を省略する。
【００６５】
本実施の形態における電気掃除機は、太陽光パネル等から構成され、集塵容器３の天面に固定された発電手段５５と、発電手段５５で発電された電源を蓄電手段５０に充電を行う充電手段５６を備えたもので、その他の構成は、上記実施の形態における電気掃除機と同様である。
【００６６】
以上のように構成された本実施の形態における電気掃除機について、その動作、作用を説明する。
【００６７】
掃除を行っているときや、掃除が終了して電気掃除機が放置されているときは、発電手段５５によって発電され、蓄電手段５０に充電される。
【００６８】
以上のように、本実施の形態においては、掃除機本体１から充電のための電源を供給しなくても、発電手段５５によって充電を行えるため、省エネが実現できる。
【００６９】
なお、本実施の形態では、発電手段５５として太陽光パネルで説明を行ったが、集塵容器３の吸気経路（図示せず）に吸気風によって回転するファン（図示せず）とファンの回転によって発電する発電手段（図示せず）を用いてもよいことは言うまでもない。
【産業上の利用可能性】
【００７０】
以上のように、本発明にかかる電気掃除機は、集塵室のフィルター面だけで無く、集塵室の内壁や底面に付着した塵埃も取り除くことができ、使い勝手の良いもので、家庭用、業務用、店舗用の各種電気掃除機に適用できる。
【符号の説明】
【００７１】
１  掃除機本体
２  電動送風機
３  集塵容器
９  フィルター
２１  送風ファン
４２  制御手段
４５  除塵手段
４７  直流電源装置（給電装置）
４９  報知手段
５０  蓄電手段
５３  集塵容器制御手段
５５  発電手段
【図１】
2012249822.tif 000003
【図２】
2012249822.tif 000004
【図３】
2012249822.tif 000005
【図４】
2012249822.tif 000006
【図５】
2012249822.tif 000007
【図６】
2012249822.tif 000008
【図７】
2012249822.tif 000009